(57)【要約】【課題】クラックなどを防止することができるようにした携帯用表示装置のコネクタを提供する。【解決手段】略直方体の胴体と、前記胴体上に前記胴体の長手方向に沿って形成される少なくとも２つのコネクタピンと、前記胴体上に前記胴体の長手方向に沿って形成される少なくとも１つのダミーピンと、前記コネクタピン及びダミーピンの端部近傍を露出させ、前記端部近傍を除いた部分を覆うように形成される保護層を具備し、前記保護層と前記コネクタピンの露出部との境界部において、前記露出部に臨む前記保護層の端面は、前記露出部が少なくとも２つの互いに相違する長さを有するような形状をなすことを特徴とする。【選択図】図３ａ
2007140476.tif 000002
【特許請求の範囲】
【請求項１】
略直方体の胴体と、
前記胴体上に、前記胴体の長手方向に沿って形成される少なくとも２つのコネクタピンと、
前記胴体上に、前記胴体の長手方向に沿って形成される少なくとも１つのダミーピンと、
前記コネクタピン及びダミーピンの端部近傍を露出させ、前記端部近傍を除いた部分を覆うように前記胴体上に形成される保護層と、を具備し、
前記保護層と前記コネクタピンの露出部との境界部において、前記露出部に臨む前記保護層の端面は、前記露出部が少なくとも２つの互いに相違する長さを有するような形状をなすことを特徴とする携帯用表示装置のコネクタ。
【請求項２】
前記保護層は、前記端面が波形をなすように形成されることを特徴とする請求項１に記載の携帯用表示装置のコネクタ。
【請求項３】
前記ダミーピンは、前記胴体の幅方向の側端の近傍に少なくとも１つ形成されることを特徴とする請求項１に記載の携帯用表示装置のコネクタ。
【請求項４】
前記ダミーピンは、前記コネクタピンと同一の物質から形成されることを特徴とする請求項１に記載の携帯用表示装置のコネクタ。
【請求項５】
前記ダミーピンは、電気的に絶縁されることを特徴とする請求項１に記載の携帯用表示装置のコネクタ。
【請求項６】
略直方体の胴体と、
前記胴体上に、前記胴体の長手方向に沿って形成される少なくとも２つのコネクタピンと、
前記胴体上の、前記胴体の幅方向の両側端のそれぞれの近傍に、前記胴体の長手方向に沿って少なくとも１つずつ形成されるダミーピンと、
前記コネクタピンと前記ダミーピンの端部近傍を露出させ、前記端部近傍を除いた部分を覆うように前記胴体上に形成される保護層とを具備し、
前記保護層と前記コネクタピンの露出部との境界部において、前記露出部に臨む前記保護層の端面は、前記露出部が少なくとも２つの互いに相違する長さを有するように波形をなすことを特徴とする請求項１に記載の携帯用表示装置のコネクタ。
【請求項７】
前記ダミーピンは、電気的に絶縁されることを特徴とする請求項６に記載の携帯用表示装置のコネクタ。
【請求項８】
前記ダミーピンは、前記コネクタピンと同一の物質から形成されることを特徴とする請求項６に記載の携帯用表示装置のコネクタ。
【発明の詳細な説明】
【技術分野】
【０００１】
本発明は携帯用表示装置のコネクタに関し、特に、クラック（Ｃｒａｃｋ）などを防止することができるようにした携帯用表示装置のコネクタに関する。
【背景技術】
【０００２】
最近、陰極線管（Ｃａｔｈｏｄｅ  Ｒａｙ  Ｔｕｂｅ）の短所である重さと体積を減らすことができる各種平板表示装置が開発されている。平板表示装置では液晶表示装置（Ｌｉｑｕｉｄ  Ｃｒｙｓｔａｌ  Ｄｉｓｐｌａｙ、ＬＣＤ）、電界放出表示装置（Ｆｉｅｌｄ  Ｅｍｉｓｓｉｏｎ  Ｄｉｓｐｌａｙ、ＦＥＤ）、プラズマ表示パネル（Ｐｌａｓｍａ  Ｄｉｓｐｌａｙ  Ｐａｎｅｌ、ＰＤＰ）及び発光表示装置（Ｌｉｇｈｔ  Ｅｍｉｔｔｉｎｇ  Ｄｉｓｐｌａｙ、ＬＥＤ）などがある。
【０００３】
ここで、液晶表示装置は小型化、軽量化及び低電力などの利点を持っているため、既存の陰極線管の短所を解消することができる代替手段として、ますます注目されており、現在は携帯電話及びＰＤＡ（Ｐｏｒｔａｂｌｅ  ｄｉｇｉｔａｌ  ａｓｓｉｓｔｏｒ）などの携帯用機器のみならず中大型の製品であるモニター及びＴＶなどにも装着されている。
【０００４】
携帯電話などの携帯用表示装置においては、２個の表示パネルが装着されたデュアル形態が多く使われている。ここで、第１表示パネルは、液晶表示装置などに利用されて通話情報等比較的多い情報を表示し、第２表示パネルは、液晶表示装置または発光表示装置などに利用されて時間などの比較的に少ない量の情報を表示する。
【０００５】
そして、第１表示パネル及び第２表示パネルの間には、少なくとも一つ以上の印刷回路基板が設置されて第１表示パネル及び第２表示パネルで所定の画像を表示することができるように駆動信号を供給する。
【０００６】
このような従来の携帯用表示装置には、少なくとも１つ以上のコネクタが使用される。例えば、第１表示パネル及び第２表示パネルの間に２個の印刷回路基板が設置され、この印刷回路基板を接続させるためにコネクタが使用される。また、印刷回路基板と表示パネルの間の接続のためにコネクタが使用される。
【０００７】
図１は、従来の携帯用表示装置のコネクタを示す図面である。図１を参照すれば、従来の携帯用表示装置のコネクタ１０は、略直方体の胴体２と、導電物質からなり、胴体２上に胴体２の長手方向に沿って形成されるコネクタピン４と、コネクタピン４の端部近傍を露出させ、前記端部近傍を除いた部分を覆うように前記胴体上に形成される保護層６を具備する。
【０００８】
胴体２は、コネクタピン４及び保護層６が胴体２上に形成されるように所定の支持力をコネクタピン及び保護層６のそれぞれに加える。このような胴体２は、弾力性のある物質から形成されて図示されていないコネクタ挿入ポイントに挿入される。胴体２がコネクタ挿入ポイントに挿入されればコネクタピン４がコネクタ挿入ポイントに形成された導電体と電気的に接続される。ここで、胴体２はコネクタピン４どうしが電気的に接続されないように絶縁体から形成される。
【０００９】
コネクタピン４は、胴体２の長手方向の端部近傍で露出されるように形成される。このようなコネクタピン４は導電体から形成され、胴体２がコネクタ挿入ポイントに挿入される時にコネクタ挿入ポイントに形成された導電体と電気的に接続される。
【００１０】
保護層６は、胴体２の長手方向の端部近傍を除いた部分に形成される。つまり、コネクタピン４は胴体２の長手方向の端部近傍においてのみ露出され、それ以外の部分は露出されない。このような保護層６は、コネクタ挿入ポイントに挿入されない部分におけるコネクタピン４の露出を防止することによってコネクタピン４の破損を防止する。
【００１１】
しかし、このような従来の携帯用表示装置のコネクタ１０は、保護層６とコネクタピン４の露出部分との境界部分８でクラックが発生するという問題点がある。実際に、保護層６は、境界部分８においてコネクタピン４の露出部分に臨む端面が平らな平面をなすように形成されるため、境界部分８において簡単に変形が生じてしまい、これによってコネクタピン４にクラックが発生して携帯用表示装置で所望の画像を表示することができない虞がある。ここで、胴体２の幅方向の両端部のそれぞれの近傍に位置されるコネクタピン４で主にクラックが発生する虞がある。
【００１２】
一方、前記従来の携帯用表示装置のコネクタに関する技術を記載した文献としては、下記特許文献１等がある。
【特許文献１】韓国特開第１０−２００５−００２８６２７号公報
【発明の開示】
【発明が解決しようとする課題】
【００１３】
したがって、本発明の目的は、クラックなどを防止するための携帯用表示装置のコネクタを提供することである。
【課題を解決するための手段】
【００１４】
前記目的を果たすために、本発明の実施形態は、略直方体形状の胴体と、前記胴体上に前記胴体の長手方向に沿って形成される少なくとも２つのコネクタピンと、前記胴体上に前記胴体の長手方向に沿って形成される少なくとも１つのダミーピンと、前記コネクタピン及びダミーピンの端部近傍を露出させ、前記端部近傍を除いた部分を覆うように前記胴体上に形成される保護層を具備し、前記保護層と前記コネクタピンの露出部との境界部分において、前記露出部に臨む前記保護層の端面は、前記露出部が少なくとも２つの互いに相違する長さを有するような形状をなすことを特徴とする。
【００１５】
好ましくは、前記保護層は、前記端面が波形をなすように形成される。前記ダミーピンは、前記胴体の幅方向の側端の近傍に少なくとも１つ形成される。また、前記ダミーピンは前記コネクタピンと同一の物質から形成され、前記ダミーピンは電気的に絶縁される。
さらに、本発明の他の実施形態は、略直方体をなす胴体と、前記胴体上に前記胴体の長手方向に沿って形成される少なくとも２つのコネクタピンと、前記胴体の幅方向の両側端のそれぞれの近傍に、前記胴体の長手方向に沿って少なくとも１つずつ形成されるダミーピンと、前記コネクタピンと前記ダミーピンの端部近傍を露出させ、前記端部近傍を除いた部分を覆うように前記胴体上に形成される保護層を具備し、前記保護層と前記コネクタピンの露出部との境界部において、前記露出部に臨む前記保護層の端面は、前記露出部が少なくとも２つの互いに相違する長さを有するように、波形をなすことを特徴とする。
【００１６】
好ましくは、前記ダミーピンは電気的に絶縁され、前記ダミーピンは前記コネクタピンと同一の物質から形成される。
【発明の効果】
【００１７】
上述したように、本発明による携帯用表示装置のコネクタによれば、コネクタピンの露出部に臨む保護層の端面が波形をなすため、境界部分においてコネクタピンにクラックが発生することを防止することができる。そして、胴体の幅方向の両側端の近傍に電気的に絶縁されたダミーピンが追加で形成されるので、胴体の幅方向の両側端の近傍に位置されたコネクタピンにクラックが発生することを防止することができる。
【発明を実施するための最良の形態】
【００１８】
以下、本発明の好ましい実施形態を、添付された図２ないし図３ｂを参照して詳しく説明する。
【００１９】
図２は、本発明の一実施形態による携帯用表示装置を概略的に示す図面である。図２ではデュアル表示装置を図示したが本発明がこれに限定されるのではない。そして、携帯用表示装置の構造は多様に変更することができる。
【００２０】
図２を参照すれば、本実施形態による携帯用表示装置は、ボトムシャーシ１０２、第１印刷回路基板１０６、第２印刷回路基板１０８及び第２表示パネル１１０を具備する。
【００２１】
ボトムシャーシ１０２には、図示されていない第１表示パネル及びバックライトアセンブリーなどが収納される。ただし、実際には、バックライトアセンブリーはモールドフレーム１０４に含まれ、ボトムシャーシ１０２はモールドフレーム１０４と結合される場合がある。
【００２２】
第１表示パネルは、液晶表示パネルからなり、それに供給される駆動信号に対応して所定の画像を表示する。バックライトアセンブリーは、第１表示パネルで画像が表示されうるように所定の光を第１表示パネルに供給する。このために、バックライトアセンブリーには図示されていない光源が含まれる。
【００２３】
第２印刷回路基板１０８は図示されていない携帯電話側駆動回路から駆動信号の供給を受ける。駆動信号の供給を受けた第２印刷回路基板１０８は、その供給された駆動信号に対応して多様な制御信号を発生する。
【００２４】
第１印刷回路基板１０６は、第２印刷回路基板１０８と電気的に接続される。このような第１印刷回路基板１０６は、第２印刷回路基板１０８から供給される制御信号に対応して第１ボトムシャーシ１０２に収納された液晶表示パネル及び光源を駆動させる。
【００２５】
第２表示パネル１１０は、第３印刷回路基板１１２及び集積回路１１４に接続される。第３印刷回路基板１１２は、第１印刷回路基板１０６及び／または第２印刷回路基板１０８と接続されて制御信号を集積回路１１４に供給する。
【００２６】
集積回路１１４は、その供給された制御信号に対応して第２表示パネル１１０で所定の画像が表示されるようにする。ここで、第２表示パネル１１０は液晶表示パネルまたは発光表示パネルから選択される。
【００２７】
このような本実施形態の携帯用表示装置には、少なくとも一つ以上のコネクタが設置される。例えば、第１印刷回路基板１０６にコネクタが設置され、第２印刷回路基板１０８にコネクタ挿入ポイントが設置されることにより、第１印刷回路基板１０６と第２印刷回路基板１０８が電気的に接続されうる。また、第２印刷回路基板１０８と外部駆動部間の接続、印刷回路基板と表示パネルの間の接続のためにコネクタが設置されうる。
【００２８】
図３ａ及び図３ｂは、本発明による携帯用表示装置のコネクタを示す図面である。図３ａ及び図３ｂを参照すれば、本発明の一実施形態による携帯用表示装置のコネクタ２１０は、略直方体の胴体２０２と、導電物質からなり、胴体２０２上に胴体２０２の長手方向に沿って形成される少なくとも２つのコネクタピン２０４と、胴体２０２上に胴体２０２の長手方向に沿って形成される少なくとも１つのダミーピン２０５ａ、２０５ｂと、コネクタピン２０４の端部近傍を露出させ、前記端部近傍を除いた部分を覆うように胴体２０２上に形成される保護層２０６を具備する。
【００２９】
胴体２０２は、コネクタピン２０４、ダミーピン２０５ａ、２０５ｂ及び保護層２０６が胴体２０２上に形成されるように、コネクタピン２０４、ダミーピン２０５ａ、２０５ｂ及び保護層２０６のそれぞれに所定の支持力を加える。このような胴体２０２は、弾力性のある物質からなり図示されていないコネクタ挿入ポイントに挿入される。
【００３０】
胴体２０２がコネクタポイントに挿入されればコネクタピン２０４がコネクタ挿入ポイントに形成された導電体と電気的に接続される。ここで、胴体２０２はコネクタピン２０４どうしが電気的に接続されないように絶縁体からなる。
【００３１】
コネクタピン２０４は、胴体２０２上に形成される。このようなコネクタピン２０４は、導電体から形成されており、胴体２０２がコネクタ挿入ポイントに挿入される時に、コネクタ挿入ポイントに形成された導電体と電気的に接続される。
【００３２】
ダミーピン２０５ａ、２０５ｂは、胴体２０２上に少なくとも１つずつ形成される。好ましくは、ダミーピン２０５ａ、２０５ｂはそれぞれ、胴体２０２の幅方向の両側端の近傍に少なくとも１つずつ形成される。このようなダミーピン２０５ａ、２０５ｂは、コネクタピン２０４と同一の物質から形成される。そして、ダミーピン２０５ａ、２０５ｂは電気的に絶縁される。つまり、ダミーピン２５０ａ、２０５ｂは、胴体２０２がコネクタポイントに挿入される時コネクタ挿入ポイントに形成された導電体と電気的に接続されずに電気的に絶縁される。
【００３３】
このように、胴体２０２の幅方向の両側端の近傍にダミーピン２０５ａ、２０５ｂがそれぞれ形成されれば、胴体２０２の幅方向の両側端のそれぞれの近傍に位置されたコネクタピン２０４にクラックが発生されることを防止することができる。つまり、胴体２０２の両側端のそれぞれの近傍で主に発生するクラックは、ダミーピン２０５ａ、２０５ｂに発生することになり、コネクタピン２０４には発生しない。
【００３４】
保護層２０６は、胴体２０２上に形成されたコネクタピン２０４及びダミーピン２０５ａ、２０５ｂの端部近傍を除いた部分を覆うように形成される。つまり、コネクタピン２０４及びダミーピン２０５ａ、２０５ｂは、端部近傍のみが胴体２０２上で露出され、それ以外の領域は保護層２０６に覆われるため露出されない。すなわち、保護膜２０６は、コネクタピン２０４のコネクタ挿入ポイントに挿入されない部分が露出されることを防止することで、コネクタピン２０４の破損を防止する。
【００３５】
そして、保護層２０６は、保護層２０６とコネクタピン２０４の露出部との境界部分２０８において前記露出部に臨む端面が波形をなすように形成される。つまり、保護層２０６は、コネクタピン２０４の露出部分が少なくとも２つの互いに相違する長さを有するように形成される。例えば、特定のコネクタピン２０４の露出部の長さは第１長さＬ１に形成され、他のコネクタピン２０４の露出部の長さは第１長さＬ１と相異する第２長さＬ２に形成される。
【００３６】
このように保護層２０６が、境界部分２０８においてコネクタピン２０４の露出部に臨む端面が波形をなすように形成されれば、境界部分２０８でコネクタピン２０４にクラックが発生されることを防止することができる。すなわち、このように保護層２０６が波形をなす端面を有するように形成されれば、コネクタピン２０４が挿入される時に境界部分２０８に加えられる圧力が分散され、これによってコネクタピン２０４のクラックを防止することができる。実際に、保護層２０６が上述のように波形をなすように形成されれば境界部分２０８に簡単に変形が生じることがなく、これによってコネクタピン２０４のクラックを防止して携帯用表示装置で所望の画像を表示することができる。
【００３７】
以上添付した図面を参照して本発明について詳細に説明したが、これは例示的なものに過ぎず、当該技術分野における通常の知識を有する者であれば、多様な変形及び均等な他の実施形態が可能であるということを理解することができる。
【図面の簡単な説明】
【００３８】
【図１】従来の携帯用表示装置のコネクタを示す斜視図である。
【図２】本発明による携帯用表示装置を示す分解斜視図である。
【図３ａ】本発明による携帯用表示装置のコネクタを示す斜視図である。
【図３ｂ】本発明による携帯用表示装置のコネクタを示す斜視図である。
【符号の説明】
【００３９】
２、２０２    胴体、
４、２０４    コネクタピン、
６、２０６    保護層、
８、２０８    境界部分、
１０、２１０    携帯用表示装置のコネクタ、
１０２    ボトムシャーシ、
１０４    モールドフレーム、
１０６、１０８、１１２    印刷回路基板、
１１０    表示パネル、
１１４    集積回路、
２０５ａ、２０５ｂ    ダミーピン。
【図１】
2007140476.tif 000003
【図２】
2007140476.tif 000004
【図３ａ】
2007140476.tif 000005
【図３ｂ】
2007140476.tif 000006